(57)【特許請求の範囲】
【請求項１】
シート状に構成された防水シート本体と、
この防水シート本体の裏面にシート状に配置されかつ、枠状に配置されると共に非透水性材料で構成された仕切り部と、この仕切り部の内側に敷き詰められると共に保水により膨張する膨張材と、を含んで構成された膨張性シートと、
を有する防水シート。
【請求項２】
前記膨張性シートは、大きさと形が定められた膨張性シート構成要素を複数枚敷設することにより構成されている、
ことを特徴とする請求項１記載の防水シート。
【請求項３】
前記仕切り部は、閉鎖された枠状に形成されている、
ことを特徴とする請求項１又は請求項２記載の防水シート。
【請求項４】
前記仕切り部と前記防水シート本体の裏面との間は、水密性を有している、
ことを特徴とする請求項３記載の防水シート。
【請求項５】
前記仕切り部の上端面は、前記防水シート本体の裏面に接着されている、
ことを特徴とする請求項４記載の防水シート。
【請求項６】
前記膨張材には、保水により硬化する硬化材が含まれている、
ことを特徴とする請求項１〜請求項５のいずれか１項に記載の防水シート。
【請求項７】
前記膨張材には、水分や湿気と反応して溶出する着色塗料が含まれている、
ことを特徴とする請求項１〜請求項６のいずれか１項に記載の防水シート。
【発明の詳細な説明】
【技術分野】
【０００１】
本発明は、屋上（屋根）やバルコニー等に敷設される防水シートに関する。
【背景技術】
【０００２】
現状、屋上（屋根）もしくはバルコニー等に使用される防水シートに漏水の不具合が発生した場合、発見までに時間がかかることが多い。さらに、その発見も室内への漏水によって初めて確認され、その場合には内装不具合を伴う大きな修繕が必要となってしまう。
また、防水シートの耐久性は不確定であり、耐久性が継続している場合においても１５年程度という単位でメンテナンス工事を行うことが望ましいとされていた。
【０００３】
ここで、下記特許文献１には、防水シートの損傷を目視で判定することを企図した技術が開示されている。簡単に説明すると、この防水シートでは、不透水性シートから成るシート本体の表面に、シート本体と同一材質から成る色違いのシグナル層を積層されている。使用に際しては、シグナル層が表面側となるように防水シートが施工される。
【０００４】
上記構成の防水シートによれば、防水シートの表面側（シグナル層）に傷が付くと、シグナル層の破れ部分から色が異なる防水シート本体が現れる。このため、破損箇所を容易に目視で発見することができる、というものである。
【先行技術文献】
【特許文献】
【０００５】
【特許文献１】特開平１１−２４５３２３号公報
【発明の概要】
【発明が解決しようとする課題】
【０００６】
しかしながら、上記先行技術による場合、防水シートの表面に傷が付いた場合には破損箇所を目視で特定することができるが、漏水までは確認することができない。従って、上記構成の防水シートを屋上（屋根）もしくはバルコニー等に使用しても、漏水箇所を迅速かつ容易に発見することはできない。
【０００７】
本発明は上記事実を考慮し、漏水を迅速かつ容易に発見することができ、しかも漏水箇所を容易に特定することができる防水シートを得ることが目的である。
【課題を解決するための手段】
【０００８】
請求項１記載の本発明に係る防水シートは、シート状に構成された防水シート本体と、この防水シート本体の裏面にシート状に配置されかつ、枠状に配置されると共に非透水性材料で構成された仕切り部と、この仕切り部の内側に敷き詰められると共に保水により膨張する膨張材と、を含んで構成された膨張性シートと、を有している。
【０００９】
請求項２記載の本発明に係る防水シートは、請求項１記載の発明において、前記膨張性シートは、大きさと形が定められた膨張性シート構成要素を複数枚敷設することにより構成されている、ことを特徴としている。
【００１０】
請求項３記載の本発明に係る防水シートは、請求項１又は請求項２記載の発明において、前記仕切り部は、閉鎖された枠状に形成されている、ことを特徴としている。
【００１１】
請求項４載の本発明に係る防水シートは、請求項３記載の発明において、前記仕切り部と前記防水シート本体の裏面との間は、水密性を有している、ことを特徴としている。
【００１２】
請求項５記載の本発明に係る防水シートは、請求項４記載の発明において、前記仕切り部の上端面は、前記防水シート本体の裏面に接着されている、ことを特徴としている。
【００１３】
請求項６記載の本発明に係る防水シートは、請求項１〜請求項６のいずれか１項に記載の発明において、前記膨張材には、保水により硬化する硬化材が含まれている、ことを特徴としている。
【００１４】
請求項７記載の本発明に係る防水シートは、請求項１〜請求項６のいずれか１項に記載の発明において、前記膨張材には、水分や湿気と反応して溶出する着色塗料が含まれている、ことを特徴としている。
【００１６】
請求項１記載の本発明によれば、仮に防水シート本体が損傷を受ける等して破損した場合、防水シート本体上に降り注いだ雨水等は、破損箇所から漏水していく。
【００１７】
ここで、本発明では、防水シート本体の裏面に膨張性シートがシート状に配置されている。このため、防水シート本体の破損箇所から浸入した雨水等は膨張性シートに吸収される。この膨張性シートは保水により膨張する膨張材を含んで構成されているので、膨張性シートに雨水等が吸収されると、膨張材が膨張する。膨張材が膨張すると、その表面側に位置する防水シート本体が押し上げられて膨らむ。従って、外部から防水シート本体の膨らみが目視にて容易に確認される。また、防水シート本体が膨らんだ箇所が漏水箇所であるので、漏水箇所の特定も容易である。すなわち、本発明の防水シートは、自ら漏水のアラーム機能を備えているといえる。さらに、膨張材性シートは、非透水性材料で構成されると共に枠状に配置された仕切り部を備えており、この仕切り部の内側に膨張材が敷き詰められているので、防水シート本体のある箇所に破損箇所が生じた場合、その真下にある仕切り部の内側に配置された膨張材に漏水が吸収されて膨張される。このとき、仕切り部は非透水性材料で構成されているので、膨張材に取り込まれた漏水が仕切り部を越えて隣接する膨張材に至ることはない。また、仕切り部が「壁」として存在することにより、内側の膨張材が膨張する際に、横へ広がるのを阻止することができる。従って、その分、膨張材は上方へ膨張することになり、膨らみ度合いを上げることができる。
【００１８】
請求項２記載の本発明によれば、大きさと形が定められた膨張性シート構成要素を複数枚敷設することにより膨張性シートが構成される。つまり、膨張性シートは、膨張性シート構成要素単位で使用される。このようにすることにより、取扱いが容易になり、不使用時に保管する際の保管形態（タオル程度の大きさであれば積み上げてもよいし、更に大きいのであればロール状に巻いてもよい。）の自由度が増し、施工も容易になる。また、膨張性シート構成要素単位で、接着用の両面テープ等も予め取付けておき、これを一つのパッケージとして生産して、市場に流通させることも可能になる。
【００２０】
請求項３記載の本発明によれば、仕切り部は閉鎖された枠状に形成されているので、仕切り部の内側から外側へ漏水が染み出すことはない。このため、仕切り部の内側に浸入した漏水はすべて膨張材の膨張に転化される。
【００２１】
請求項４記載の本発明によれば、仕切り部と防水シート本体の裏面との間が水密性を有しているので、漏水が仕切り部を乗り越えて隣接する領域の膨張材に吸収されることはない。
【００２２】
請求項５記載の本発明によれば、仕切り部の上端面が防水シート本体の裏面に接着されているので、両者間の水密性が確保される。
【００２３】
請求項６記載の本発明によれば、膨張材に保水により硬化する硬化材が含まれているので、漏水が膨張材に吸収されて保水されると、水と膨張材に含まれる硬化材とが反応し、膨張材を硬化させる。従って、破損箇所の膨張材は膨らんだ状態のまま硬くなる。このため、破損箇所に配置された膨張材が膨らんだ状態を、その状態のまま保全することができる。また、膨張材が膨張した状態で硬化した漏水箇所を人が踏んだときに、異物感を伝えることで、漏水を知らせることができる。
【００２４】
請求項７記載の本発明によれば、膨張材に水分や湿気と反応して溶出する着色塗料が含まされているので、防水シート本体が破損して漏水が生じると、破損箇所から浸入した水が膨張性シートの膨張材に含まれている着色塗料と反応し、特定の色彩が破損箇所から現れる。従って、人の目につき易い。
【発明の効果】
【００２５】
以上説明したように、請求項１記載の本発明に係る防水シートは、漏水を迅速かつ容易に発見することができ、しかも漏水箇所を容易に特定することができるという優れた効果を有する。また、膨張材の膨らみを増加させ、漏水箇所を目立ち易くすることができるという優れた効果を有する。
【００２６】
請求項２記載の本発明に係る防水シートは、保管性及び施工性等を向上させることができると共に市場における流通性を向上させることができるという優れた効果を有する。
【００２８】
請求項３記載の本発明に係る防水シートは、膨張材の膨らみをより一層増加させることができるという優れた効果を有する。
【００２９】
請求項４記載の本発明に係る防水シートは、膨張材の膨らみをより一層増加させることができるという優れた効果を有する。
【００３０】
請求項５記載の本発明に係る防水シートは、仕切り部の上端面とシート本体の裏面との水密性を比較的簡単に確保することができるという優れた効果を有する。
【００３１】
請求項６記載の本発明に係る防水シートは、漏水時に漏水の事実に気づかなかったとしても、後日に漏水の事実に気づき易くできると共に、視覚による漏水の認識の他に、足裏の触覚による漏水の認識を促すことができるという優れた効果を有する。
【００３２】
請求項７記載の本発明に係る防水シートは、膨張材の膨張による防水シート本体の凸部形成の他に、破損箇所からの目立つ色彩の出現によって、漏水のアラームを強化することができるという優れた効果を有する。
【図面の簡単な説明】
【００３３】
【図１】第１実施形態に係り、破損個所が発生した場合の防水シートの拡大断面図である。
【図２】図１に示される防水シートにおいて、破損個所が発生する前の状態の防水シートの拡大断面図である。
【図３】第１実施形態の作用を説明するための説明図に係り、（Ａ）は破損個所が発生する前の状態を示す断面図であり、（Ｂ）は破損個所が発生した直後の状態を示す断面図であり、（Ｃ）は膨張材が膨張した状態を示す断面図である。
【図４】ジョイント部での適用例を示す図２に対応する防水シートの拡大断面図である。
【図５】第２実施形態に係り、膨張性シートの平断面図である。
【図６】（Ａ）は図５に示される膨張性シートを用いた防水シートの拡大断面図であり、（Ｂ）は（Ａ）のＰ線矢視部の拡大図である。
【図７】膨張性シートのシートパッケージを示す平面図である。
【図８】膨張材に着色塗料を含浸させた実施形態の作用を説明するための説明図に係り、（Ａ）は破損箇所の膨張材が膨張した状態を示す断面図であり、（Ｂ）は膨張材が膨張した破損箇所を足で踏んだときの様子を模式的に示す断面図である。
【発明を実施するための形態】
【００３４】
〔第１実施形態〕
【００３５】
以下、図１〜図４を用いて、本発明に係る防水シートの第１実施形態について説明する。
【００３６】
図１には破損箇所が発生した場合の防水シートの拡大断面図が示されており、又図２には破損箇所が発生する前の状態の防水シートの拡大断面図が示されている。
【００３７】
これらの図に示されるように、防水シート１０は、防水シート本体１２と、その裏面に配置された膨張性シート１４と、によって構成されている。この防水シート１０は、例えば建物の屋上（屋根）もしくはバルコニー等に使用されるものであり、図１、図２では断熱材１６の上面に敷設された状態を描いている。
【００３８】
材質について言及すると、防水シート本体１２としては、塩化ビニル系樹脂シート等が適用可能である。また、断熱材１６としては、押出法ポリスチレンフォーム保温板、ビーズ法ポリスチレンフォーム保温板、硬質ウレタンフォーム保温板、フェノールフォーム保温板、ロックウール保温板等が適用可能である。
【００３９】
ここで、上述した膨張性シート１４は、保水することにより膨張する素材、例えば高分子吸収体や吸収性ポリマー等で構成された膨張材１８によって構成されている。膨張性シート１４は、膨張材１８をシート状に延ばしたものであり、防水シート本体１２の裏面に予め配置されている。つまり、膨張材１８をシート状に延ばした膨張性シート１４を、防水シート本体１２の裏面に予め両面テープ等の接着手段を用いて取り付けることにより、防水シート本体１２と膨張性シート１４とが一体化されている。但し、必ずしも膨張性シート１４を防水シート本体１２の裏面に一体化する必要はなく、膨張性シート１４を防水シート本体１２と別体で構成し、防水施工に際して先に膨張性シート１４を敷設し、続いて防水シート本体１２を敷設するようにしてもよい。
【００４０】
（作用・効果）
【００４１】
次に、本実施形態の作用並びに効果について説明する。
【００４２】
図３（Ａ）に示される状態が、防水シート１０の防水シート本体１２に破損が生じていない状態である。この状態から、図３（Ｂ）に示されるように、経年劣化もしくは防水シート本体１２に何らかの負荷がかかる等により、防水シート本体１２に破損箇所２０が生じると、当該破損箇所２０から雨水等が浸入する。そして、図３（Ｃ）に示されるように、破損箇所２０から雨水等が膨張性シート１４の膨張材１８に吸収されると、膨張材１８が膨張して防水シート本体１２における破損箇所周囲部１２Ａが押し上げられて膨らむ。従って、外部から防水シート本体１２の破損箇所周囲部１２Ａの膨らみが目視にて容易に確認される。また、防水シート本体１２が膨らんだ箇所、即ち破損箇所周囲部１２Ａが漏水箇所そのものであるので、漏水箇所の特定も容易である。すなわち、本実施形態の防水シート１０は、自ら漏水のアラーム機能を備えているといえる。本実施形態によれば、漏水を迅速かつ容易に発見することができ、しかも漏水箇所を容易に特定することができる。
【００４３】
以上が本実施形態の基本的な作用効果であるが、上記作用効果は更に以下の効果に敷衍される。
【００４４】
第１に、リアルタイムで漏水を発見することができるため、漏水した時点で防水シート本体１２の破損箇所２０の状況を確認して、補修をしたり、取替えを行ったりすることができる。よって、防水シート１０の防水性能（耐久性）が維持されているにも拘らず、防水シート１０を取り替えてしまうといったことを防ぐことができ、需要者の費用負担を削減することができる。
【００４５】
第２に、漏水が室内に浸入する前に漏水を発見することができるので、大掛かりな修繕をしなくて済む。
【００４６】
第３に、膨張材１８が浸入した雨水等を吸収して保水するので、その分、漏水が室内側へ進むのを遅らせることができる。
【００４７】
第４に、専門知識がなくても、漏水の確認が可能になる。
【００４８】
なお、図４には、防水シート１０のジョイント部２２の断面図が示されている。このようなジョイント部２２に施工不良があった場合にも、当該施工不良箇所から雨水等が浸入することにより、膨張材１８が膨らんでジョイント部２２を押し上げる。よって、同様にして、施工不良箇所を迅速に発見及び特定することができる。この点は、後述する第２実施形態においても同様に当てはまる。
【００４９】
〔第２実施形態〕
【００５０】
以下、図５〜図７を用いて、本発明に係る防水シートの第２実施形態について説明する。なお、前述した第１実施形態と同一構成部分については、同一番号を付してその説明を省略する。
【００５１】
図５及び図６に示されるように、この第２実施形態に係る防水シート４０では、膨張性シート４２が、平面視で正六角形状（閉鎖された枠状）に形成された複数の仕切り部４４と、各仕切り部４４の内側に充填された膨張材１８と、仕切り部４４の下面に固着されて膨張材１８の載置面を形成するシート４６と、によって構成されている点に特徴がある。
【００５２】
より具体的に説明すると、複数の仕切り部４４は非透水性材料であるプラスチック等の樹脂やアルミニウム合金等の金属で形成されており、連続的に配置されている。また、仕切り部４４の大きさは、一例として一辺が５ｃｍの正方形に頂点が内接する大きさの正六角形とされている。但し、仕切り部４４の大きさや形は任意であり、三角形や正方形でもよい。
【００５３】
さらに、図６（Ｂ）に拡大して示されるように、仕切り部４４は、中実の矩形断面形状に形成されており、その上端面及び下端面はそれぞれ水平な平坦面とされている。仕切り部４４の上端面には両面テープ４８の片面が予め接着されている。施工に際しては、先に膨張性シート４２を断熱材１６上に敷設し、両面テープ４８の裏型紙を剥した後、防水シート本体１２を敷設しながら、防水シート本体１２を仕切り部４４上に接着していくようになっている。これにより、仕切り部４４の上端面と防水シート本体１２の裏面との水密性が確保されている。但し、上記は一例であり、これに限らず、防水シート本体１２の裏面に膨張性シート４２の仕切り部４４を予め接着剤等で固着して一体化しておいてもよい。また、仕切り部４４の下端面には薄いシート４６が配設されている。このシート４６は膨張材１８の載置面とされるもので、膨張材１８が載置可能であればよく、シート状のものでもよいし、フィルム状のものでもよい。なお、第１実施形態ではシート４６の説明を省略したが、シート４６は第１実施形態でも同様に用いられている。但し、シート４６は、膨張性シート４２の必須構成要素ではなく、任意的構成要素である。例えば、平面視で六角形状の仕切り部４４の底面に、格子状やメッシュ状等の載置面を仕切り部４４と一体に形成する構成であってもよい。
【００５４】
また、図７に示されるように、上述した膨張性シート４２は、１０行×１０列を一つのシートパッケージ５０として構成されている（図７では一部省略している。）。なお、このシートパッケージ５０が、本発明における「膨張性シート構成要素」に相当する。本実施形態では、施工性及び市場での流通性の観点から１０行×１０列を一まとめにしているが、パッケージ化する単位は任意であり、ある程度の大きさがあれば１個の仕切り部４４で一つのシートパッケージとしてもよい。
【００５５】
（作用・効果）
【００５６】
上記構成によれば、大きさと形が定められたシートパッケージ５０が複数枚敷設されることにより膨張性シート４２が構成される。つまり、膨張性シート４２は、シートパッケージ５０単位で使用される。このようにすることで取扱いが容易になり、不使用時に保管する際の保管形態（タオル程度の大きさであれば積み上げてもよいし、更に大きいのであればロール状に巻いてもよい。）の自由度が増し、施工も容易になる。また、シートパッケージ５０単位で、接着用の両面テープ４８等も予め取付けておき、これを一つのパッケージとして生産して、市場に流通させることも可能になる。その結果、本実施形態によれば、保管性及び施工性等を向上させることができると共に市場における流通性を向上させることができる。
【００５７】
また、本実施形態では、膨張性シート４２が、非透水性材料で構成されると共に枠状に配置された仕切り部４４を備えており、この仕切り部４４の内側に膨張材１８が敷き詰められているので、防水シート本体１２のある箇所に破損箇所が生じた場合、その真下にある仕切り部４４の内側に配置された膨張材１８に漏水が吸収されて膨張される。このとき、仕切り部４４は非透水性材料で構成されているので、膨張材１８に取り込まれた漏水が仕切り部４４を越えて隣接する膨張材１８に至ることはない。また、仕切り部４４が「壁」として存在することにより、内側の膨張材１８が膨張する際に、横へ広がるのを阻止することができる。従って、その分、膨張材１８は上方へ膨張することになり、膨らみ度合いを上げることができる。その結果、本実施形態によれば、膨張材１８の膨らみを増加させ、漏水箇所を目立ち易くすることができる。
【００５８】
さらに、本実施形態では、仕切り部４４は閉鎖された枠状である正六角形に形成されているので、仕切り部４４の内側から外側へ漏水が染み出すことはない。このため、仕切り部４４の内側に浸入した漏水はすべて膨張材１８の膨張に転化される。よって、本実施形態によれば、膨張材１８の膨らみをより一層増加させることができる。
【００５９】
また、本実施形態では、仕切り部４４と防水シート本体１２の裏面との間が両面テープ４８で接着されており、水密性を有しているので、漏水が仕切り部４４を乗り越えて隣接する領域の膨張材１８に吸収されることはない。従って、この点においても、膨張材１８の膨らみをより一層増加させることができる。また、両面テープ４８を使うことにより、仕切り部４４の上端面と防水シート本体１２の裏面との水密性を比較的簡単に確保することができる。但し、両面テープ４８を用いることなく、他の構成で仕切り部４４の上端面と防水シート本体１２の裏面との水密性を確保するようにしてもよい。
【００６０】
〔上記実施形態の補足説明〕
【００６１】
（１）上述した実施形態では、膨張材１８が保水して膨張するという構成のみであったが、これに限らず、図８に示されるように、膨張材１８に着色塗料（着色材）５２を含浸させておいてもよい。なお、着色塗料５２は、顔料、染料のいずれでもよく、例えば水溶性塗料に塗料着色剤を混入させたものや水性絵の具の粉末等が含まれる。この場合、図８（Ａ）に示されるように、防水シート本体１２に破損箇所２０が発生すると、当該破損箇所２０から雨水等が浸入し、膨張材１８に吸収される。これにより、着色塗料５２が溶け出して膨らんだ膨張材１８に染込む。そして、図８（Ｂ）に示されるように、人がバルコニーに立つ等したときに破損箇所周囲部１２Ａを踏むと、破損箇所２０から着色された色水５４が染み出す。その結果、防水シート本体１２に漏水が発生したことが容易に解る。このように図８に示される構成によれば、漏水のアラームを強化することができる。
【００６２】
（２）上述した実施形態では、膨張材１８が保水して膨張するという構成のみであったが、これに限らず、膨張材１８に保水により硬化する硬化材を含ませるようにしてもよい。なお、上記の硬化材としては、セメントや水硬化性ポリウレタン樹脂等が適用可能である。
【００６３】
この場合、漏水が膨張材１８に吸収されて保水されると、水と膨張材１８に含まれる硬化材とが反応し、膨張材１８を硬化させる。従って、破損箇所の膨張材１８は膨らんだ状態のまま硬くなる。このため、破損箇所２０に配置された膨張材１８が膨らんだ状態を、その状態のまま保全することができる。また、膨張材１８が膨張した状態で硬化した漏水箇所を踏んだときに、異物感を伝えることで、漏水を知らせることができる。これらの結果、この実施形態によれば、漏水時に漏水の事実に気づかなかったとしても、後日に漏水の事実に気づき易くできると共に、視覚による漏水の認識の他に、足裏の触覚による漏水の認識を促すことができる。
【００６４】
（３）上述した第２実施形態では、仕切り部４４が閉鎖された枠状に構成されていたが、請求項１記載の本発明には、閉鎖されていない枠状の仕切り部も含まれる。例えば、正六角形の仕切り部４４の任意の頂角が未接続になっているものは、請求項３記載の本発明には含まれないが、請求項１記載の本発明には含まれる。
【符号の説明】
【００６５】
１０      防水シート
１２      防水シート本体
１４      膨張性シート
１８      膨張材
４０      防水シート
４２      膨張性シート
４４      仕切り部
４８      両面テープ
５０      シートパッケージ
５２      着色塗料
【図１】
0005462645.tif 000002
【図２】
0005462645.tif 000003
【図３】
0005462645.tif 000004
【図４】
0005462645.tif 000005
【図５】
0005462645.tif 000006
【図６】
0005462645.tif 000007
【図７】
0005462645.tif 000008
【図８】
0005462645.tif 000009